(57)【特許請求の範囲】
【請求項１】
動力用電源からの電力とそれぞれに設けられた蓄電装置からの電力とによって運転可能である複数のエレベータと、
当該複数のエレベータの乗場から特定乗場呼びがなされた場合に、前記複数のエレベータから予め設定された特定のエレベータを割り当てる制御を実行可能であると共に、前記乗場から一般乗場呼びがなされた場合に、前記特定のエレベータを含む前記複数のエレベータから、前記一般乗場呼びに応答するエレベータを割り当てる制御を実行可能である制御装置とを備え、
前記制御装置は、前記動力用電源の停電時に前記蓄電装置の電力を用いて前記エレベータを運転する状態で、前記乗場から前記一般乗場呼びがなされた場合に、前記蓄電装置の残存蓄電量に応じてそれぞれ演算した各前記エレベータの評価値に基づいて前記複数のエレベータから前記一般乗場呼びに応答するエレベータを選定するものであり、
同等の前記蓄電装置の残存蓄電量に対して、前記特定のエレベータの評価値を、当該特定のエレベータ以外の他のエレベータの評価値より相対的に選定され難い評価値とすることを特徴とする、
エレベータシステム。
【請求項２】
前記制御装置は、前記蓄電装置の残存蓄電量が相対的に多いほど、当該蓄電装置の電力で運転される前記エレベータが相対的に選定され易い評価値とし、
前記蓄電装置の残存蓄電量が相対的に少ないほど、当該蓄電装置の電力で運転される前記エレベータが相対的に選定され難い評価値とする、
請求項１に記載のエレベータシステム。
【請求項３】
前記制御装置は、前記蓄電装置の電力を用いて前記エレベータを運転する状態で、前記乗場から前記特定乗場呼びがなされた場合であって前記特定のエレベータの前記蓄電装置の残存蓄電量が予め設定される判定基準蓄電量より低い場合に、
前記他のエレベータの前記蓄電装置の残存蓄電量が前記判定基準蓄電量より低く設定される運転限界蓄電量以上であれば、当該他のエレベータのうち前記蓄電装置の残存蓄電量が最大であるエレベータを仮の特定のエレベータとして前記特定乗場呼びに応答させ、
前記他のエレベータの前記蓄電装置の残存蓄電量が前記運転限界蓄電量より低ければ、前記特定のエレベータを前記特定乗場呼びに応答させる、
請求項１又は請求項２に記載のエレベータシステム。
【請求項４】
前記特定のエレベータは、予め車椅子用のエレベータに設定されている、
請求項１乃至請求項３に記載のエレベータシステム。
【発明の詳細な説明】
【技術分野】
【０００１】
本発明の実施形態は、エレベータシステムに関する。
【背景技術】
【０００２】
従来、エレベータは、昇降路内を乗りかごが移動することにより、乗りかごを任意の階床に移動させる。このようなエレベータは、建物に複数設けられ、一群のエレベータシステムを構成する場合がある。
【先行技術文献】
【特許文献】
【０００３】
【特許文献１】特開２０１１−０６３４２８号公報
【発明の概要】
【発明が解決しようとする課題】
【０００４】
ところで、従来技術においては、例えば、停電時の運転の点でさらなる改善の余地がある。
【課題を解決するための手段】
【０００５】
実施形態のエレベータシステムは、複数のエレベータと、制御装置とを備えることを特徴とする。複数のエレベータは、動力用電源からの電力とそれぞれに設けられた蓄電装置からの電力とによって運転可能である。制御装置は、当該複数のエレベータの乗場から特定乗場呼びがなされた場合に、前記複数のエレベータから予め設定された特定のエレベータを割り当てる制御を実行可能であると共に、前記乗場から一般乗場呼びがなされた場合に、前記特定のエレベータを含む前記複数のエレベータから、前記一般乗場呼びに応答するエレベータを割り当てる制御を実行可能である。前記制御装置は、前記動力用電源の停電時に前記蓄電装置の電力を用いて前記エレベータを運転する状態で、前記乗場から前記一般乗場呼びがなされた場合に、前記蓄電装置の残存蓄電量に応じてそれぞれ演算した各前記エレベータの評価値に基づいて前記複数のエレベータから前記一般乗場呼びに応答するエレベータを選定するものである。前記制御装置は、同等の前記蓄電装置の残存蓄電量に対して、前記特定のエレベータの評価値を、当該特定のエレベータ以外の他のエレベータの評価値より相対的に選定され難い評価値とする。
【図面の簡単な説明】
【０００６】
【図１】図１は、実施形態１に係るエレベータシステムの概略構成例を示すブロック図である。
【図２】図２は、実施形態１に係るエレベータシステムにおける蓄電量評価値マップの一例を表す線図である。
【図３】図３は、実施形態１に係るエレベータシステムにおける制御の一例を説明するフローチャートである。
【図４】図４は、実施形態２に係るエレベータシステムの動作の一例を説明する線図である。
【図５】図５は、実施形態２に係るエレベータシステムの動作の一例を説明する線図である。
【図６】図６は、実施形態２に係るエレベータシステムの動作の一例を説明する線図である。
【図７】図７は、実施形態２に係るエレベータシステムの動作の一例を説明する線図である。
【図８】図８は、実施形態２に係るエレベータシステムの動作の一例を説明する線図である。
【図９】図９は、実施形態２に係るエレベータシステムの動作の一例を説明する線図である。
【図１０】図１０は、実施形態２に係るエレベータシステムの動作の一例を説明する線図である。
【図１１】図１１は、実施形態２に係るエレベータシステムの動作の一例を説明する線図である。
【図１２】図１２は、実施形態２に係るエレベータシステムにおける制御の一例を説明するフローチャートである。
【発明を実施するための形態】
【０００７】
［実施形態１］
図１は、実施形態１に係るエレベータシステムの概略構成例を示すブロック図である。図２は、実施形態１に係るエレベータシステムにおける蓄電量評価値マップの一例を表す線図である。図３は、実施形態１に係るエレベータシステムにおける制御の一例を説明するフローチャートである。
【０００８】
本実施形態のエレベータシステム１は、図１に示すように、群管理制御装置５１を備え、エレベータ群２を群管理し効率的な運行サービスを行うものである。ここでは、エレベータ群２は、Ａ号機、Ｂ号機、Ｃ号機、Ｄ号機の複数のエレベータ３からなる。エレベータ群２は、複数のカゴ４がそれぞれ昇降路を昇降することで運行サービスを行う。群管理制御装置５１は、複数台のエレベータ３によって、複数の階床に対してサービス可能とする。群管理制御装置５１は、典型的には、エレベータ群２の複数のカゴ４の状態等に応じて、複数のエレベータ３から、エレベータ群２の乗場８からの乗場呼びに応答するエレベータ３を割り当てる制御を実行可能である。そして、このエレベータシステム１は、典型的には、停電状態においても各号機ごとに設置された蓄電装置としてのバッテリ５３で各エレベータ３を制御しいわゆる停電時継続運転を行うことができるエレベータ電源バックアップシステムでもある。
【０００９】
なお、以下の説明では、エレベータシステム１は、エレベータ群２として、Ａ号機、Ｂ号機、Ｃ号機、Ｄ号機の４つのエレベータ３を備えるものとして説明するがこれに限らない。エレベータシステム１は、エレベータ群２として、エレベータ３を２つ乃至３つ備えるものであってもよいし、５つ以上を備えるものであってもよい。また、以下の説明では、Ａ号機、Ｂ号機、Ｃ号機、Ｄ号機の４つのエレベータ３は、特に断りのない限り、４つを区別せずに単にエレベータ３として説明する。
【００１０】
本実施形態のエレベータシステム１は、上記複数のエレベータ３と、複数のエレベータ３を制御する制御装置５０とを備える。複数のエレベータ３は、動力用電源６０からの電力とそれぞれに設けられたバッテリ５３からの電力とによって運転可能である。制御装置５０は、上述の群管理制御装置５１、後述の単体制御装置５２、蓄電装置としてのバッテリ５３、電源制御装置５４等を含んで構成される。単体制御装置５２、バッテリ５３、電源制御装置５４は、それぞれ、複数のエレベータ３に対応して複数設けられる。なお、群管理制御装置５１、各単体制御装置５２、各電源制御装置５４は、一体で１つの制御装置により構成されるものであってもよい。
【００１１】
各エレベータ３は、それぞれ、カゴ４、カウンタウェイト５、メインロープ６、巻上機７等を含んで構成される。各エレベータ３は、それぞれ、カゴ４とカウンタウェイト５とをメインロープ６で連結したいわゆるつるべ式のエレベータである。各エレベータ３は、共通の乗場８が設けられる。
【００１２】
カゴ４は、建物に設けられた昇降路を昇降可能である。カゴ４は、カゴ呼び登録装置９、カゴ案内装置１０、荷重検出器１１等を含んで構成される。カゴ呼び登録装置９は、カゴ４の内部に設けられる。カゴ呼び登録装置９は、利用者による操作入力に応じていわゆるカゴ呼び登録等を行う。カゴ案内装置１０は、カゴ４内に設けられる。カゴ案内装置１０は、例えば、報知音を出力可能なブザー、種々の音声情報をアナウンス可能なスピーカ、種々の表示情報を表示可能な表示装置等を含んで構成される。荷重検出器１１は、カゴ４内の積載荷重を検出する。
【００１３】
カウンタウェイト５は、カゴ４に対するつり合おもりである。
【００１４】
メインロープ６は、昇降路の上部に設けられた巻上機７のメインシーブ７ａやそらせシーブ（不図示）等に掛けられる。メインロープ６は、一端にカゴ４が接続され、他端にカウンタウェイト５が接続される。
【００１５】
巻上機７は、例えば、動力を発生させる電動機（モータ）７ｂを有する。電動機７ｂは、動力用電源６０、バッテリ５３から制御装置５０等を介して電力が供給される。巻上機７は、電動機７ｂが駆動することで、この電動機７ｂに連結されたメインシーブ７ａが回転駆動する。そして、巻上機７は、メインシーブ７ａとメインロープ６との間に生じる摩擦力を利用してメインロープ６を電動で巻き上げる。また、電動機７ｂは、回生発電も可能である。つまり、この電動機７ｂは、いわゆる回転電機であり、供給された電力を機械的動力に変換する電動機としての機能（力行機能）と、入力された機械的動力を電力に変換する発電機としての機能（回生機能）とを兼ね備えている。
【００１６】
乗場８は、カゴ４が着床可能な各エレベータ停止階床に設けられる。各乗場８は、乗場呼び登録装置１２、乗場案内装置１３、カメラ１４等を含んで構成される。乗場呼び登録装置１２は、利用者による操作入力に応じていわゆる乗場呼び登録等を行う。乗場案内装置１３は、例えば、報知音を出力可能なブザー、種々の音声情報をアナウンス可能なスピーカ、種々の表示情報を表示可能な表示装置等を含んで構成される。カメラ１４は、乗場８近傍の画像、動画等を撮影するものである。
【００１７】
制御装置５０の群管理制御装置５１は、通常の形式の双方向コモン・バスにより相互に連結されたＣＰＵ（中央演算処理装置）、ＲＯＭ、ＲＡＭ、バックアップＲＡＭ及び入出力ポート装置を有するマイクロコンピュータ及び駆動回路を備えている。ＲＯＭ（Ｒｅａｄ  Ｏｎｌｙ  Ｍｅｍｏｒｙ）は、所定の制御プログラム等を予め記憶している。ＲＡＭ（Ｒａｎｄｏｍ  Ａｃｃｅｓｓ  Ｍｅｍｏｒｙ）は、ＣＰＵの演算結果を一時記憶する。バックアップＲＡＭは、予め用意されたマップデータ、エレベータ３の仕様等の情報を記憶する。群管理制御装置５１は、複数のエレベータ３の各単体制御装置５２、乗場呼び登録装置１２、乗場案内装置１３、カメラ１４等と電気的に接続される。群管理制御装置５１は、複数のエレベータ３の各単体制御装置５２と相互に検出信号や駆動信号、制御指令等の情報の通信、授受を行い、エレベータ群２を群管理する。
【００１８】
制御装置５０の単体制御装置５２は、通常の形式の双方向コモン・バスにより相互に連結されたＣＰＵ（中央演算処理装置）、ＲＯＭ、ＲＡＭ、バックアップＲＡＭ及び入出力ポート装置を有するマイクロコンピュータ及び駆動回路を備えている。ＲＯＭ（Ｒｅａｄ  Ｏｎｌｙ  Ｍｅｍｏｒｙ）は、所定の制御プログラム等を予め記憶している。ＲＡＭ（Ｒａｎｄｏｍ  Ａｃｃｅｓｓ  Ｍｅｍｏｒｙ）は、ＣＰＵの演算結果を一時記憶する。バックアップＲＡＭは、予め用意されたマップデータ、対応するエレベータ３の仕様等の情報を記憶する。単体制御装置５２は、各エレベータ３に対応してそれぞれ１つずつ設けられる。各単体制御装置５２は、種々のセンサ、検出器、カゴ呼び登録装置９、カゴ案内装置１０、荷重検出器１１、電源制御装置５４等の各エレベータ３の各部と電気的に接続される。各単体制御装置５２は、各エレベータ３単体の各部の動作を統括的に制御する。各単体制御装置５２は、例えば、カゴ呼び登録装置９、乗場呼び登録装置１２等への利用者からの操作入力に応じて、巻上機７の駆動を制御し、カゴ４を昇降路内で昇降させる。これにより、各エレベータ３は、カゴ４を呼び登録に応じた指定された目的階に移動させることができる。
【００１９】
ここで、本実施形態の複数のエレベータ３は、上述したように、動力用電源６０から電力が供給されると共に、さらに、それぞれにバッテリ５３が設けられる。動力用電源６０は、主にエレベータシステム１の通常運転時に利用される主電源である。動力用電源６０は、典型的にはいわゆる商用電源（三相交流電源）等が用いられるが、例えば、自家発電機器等を用いてもよい。
【００２０】
一方、バッテリ５３は、主にエレベータシステム１の停電時、すなわち、動力用電源６０からの電力供給が停止した停電時に利用される非常用の補助電源であるが、エレベータシステム１の通常運転時に動力用電源６０からの電力をアシストする目的で利用することもできる。バッテリ５３は、典型的にはいわゆる蓄電池（二次電池）等が用いられる。バッテリ５３は、各エレベータ３に対応してそれぞれ１つずつ設けられる。各バッテリ５３は、それぞれ電流計５３ａ、電圧計５３ｂが設けられている。各電流計５３ａ、各電圧計５３ｂは、各電源制御装置５４、各単体制御装置５２等を介して群管理制御装置５１にそれぞれ検出値を送信することができる。
【００２１】
制御装置５０の電源制御装置５４は、各エレベータ３に対応してそれぞれ１つずつ設けられる。各電源制御装置５４は、各バッテリ５３の充放電を制御するものである。各電源制御装置５４は、各号機において、対応する単体制御装置５２、バッテリ５３が接続されると共に、動力用電源６０も接続される。電源制御装置５４は、例えば、動力用電源６０から供給される交流を整流して直流に変換するコンバータ装置、コンバータ装置で変換された直流を整流する平滑コンデンサ、平滑コンデンサで平滑された直流を巻上機７の電動機７ｂ等で使用可能な交流に変換するインバータ装置等を含む電気回路を有している。  
【００２２】
また、電源制御装置５４は、動力用電源６０からの電力の供給状態に応じてエレベータ３を運転させる電力を適宜切り替えると共に、バッテリ５３の充放電制御を行うことが可能になっている。電源制御装置５４は、動力用電源６０とバッテリ５３との少なくともいずれか一方から供給される電力を、エレベータ３を駆動させる電力として使用し、各単体制御装置５２は、この電力を用いて各部を作動させ、エレベータ３を運転させる。電源制御装置５４は、例えば、動力用電源６０が健全である通常運転時には、カゴ４の移動に使用する電力として、動力用電源６０から供給される電力を主に使用し、動力用電源６０の停電時は、カゴ４の移動に使用する電力として、バッテリ５３から供給される電力を使用する。なお、電源制御装置５４は、通常運転時に動力用電源６０からの電力をアシストする目的で、バッテリ５３から供給される電力を使用してもよい。また、電源制御装置５４は、エレベータシステム１の通常運転時に動力用電源６０から供給される電力の一部、あるいは、通常運転時、停電時のエレベータ３の回生運転時に電動機７ｂによって回生発電された回生電力を利用してバッテリ５３を充電することができる。
【００２３】
上記のように構成されるエレベータシステム１は、通常運転として、利用者によりカゴ呼び登録装置９、乗場呼び登録装置１２等を介してカゴ４の呼び操作が行われた場合、下記のように動作する。すなわち、エレベータシステム１は、カゴ呼び登録装置９から単体制御装置５２にこれに応じたカゴ呼び登録信号が入力される。あるいは、エレベータシステム１は、乗場呼び登録装置１２から群管理制御装置５１にこれに応じた乗場呼び登録信号が入力される。そして、エレベータシステム１は、単体制御装置５２、あるいは、群管理制御装置５１がこの呼び登録信号に応じてカゴ４のカゴ呼び登録、乗場呼び登録を行う。
【００２４】
群管理制御装置５１は、例えば、各エレベータ３の複数のカゴ４から、各カゴ４の状態に応じて、呼び登録に応答する最適なカゴ４を割り当てる群管理制御を実行する。群管理制御装置５１は、各エレベータ３、各カゴ４の状態等に基づいて、発生した呼びに対して所定の評価演算を行う。群管理制御装置５１は、例えば、カゴ呼び登録信号、乗場呼び登録信号、種々のセンサ、検出器からの出力、カゴ４の現在位置及び移動方向（昇降方向）、これから発生すると予測される乗場呼び、カゴ呼び、予測される行先階等に基づいて、上記評価演算を行う。そして、群管理制御装置５１は、例えば、この所定の評価演算に応じて、輸送効率上、各カゴ４が合理的に移動しながらそれぞれの呼びに最適に応答するように、カゴ４の着床順序等を定めて各呼びに応答するカゴ４を割り当てて、応答カゴ４を決定する割当処理を行う。そして、群管理制御装置５１は、複数のカゴ４の運行を効率的に割り振り、エレベータ群２全体として効率的な運行サービスを行う。
【００２５】
そして、各単体制御装置５２は、このカゴ呼び登録信号、乗場呼び登録信号、種々のセンサ、検出器からの出力、カゴ４の現在の移動方向（昇降方向）等に基づいた群管理制御装置５１からの割り当て出力に応じて、それぞれの巻上機７を駆動制御する。これにより、各単体制御装置５２は、各カゴ４を目的の階床へと移動させる。この結果、各エレベータ３は、カゴ４が昇降路内を鉛直方向上下に昇降移動し、任意の目的階の乗場８に移動する。そして、各エレベータ３は、カゴ４が目的階の乗場８に着床し、所定の着床位置に着床したことが検出されると、その後、単体制御装置５２が扉を開放する。これにより、乗場８で待機している利用者は、カゴ４内に乗り込むことが可能となる。また、カゴ４内の利用者は乗場８に降りることが可能となる。
【００２６】
そして、本実施形態の制御装置５０は、動力用電源６０の停電状態においても、各エレベータ３において、各号機ごとに設置されたバッテリ５３によって停電時継続運転を行うことができる。つまり、本実施形態の制御装置５０は、上記で説明した通常運転と、後述の停電時継続運転（停電時運転）とを切り替えて実行可能である。
【００２７】
通常運転とは、動力用電源６０の健全時の運転であり、動力用電源６０からの電力によってカゴ４を昇降させる運転である。なお、制御装置５０は、上述のように当該通常運転では、さらにバッテリ５３の電力をアシスト電量として用いてもよい。
【００２８】
一方、停電時継続運転とは、通常運転とは異なる運転であり、動力用電源６０の停電時の運転である。停電時継続運転とは、動力用電源６０の停電時にバッテリ５３からの電力によってカゴ４を昇降させる運転である。さらに言えば、停電時継続運転とは、動力用電源６０の停電時にバッテリ５３からの電力によってカゴ４の昇降を継続する運転である。停電時継続運転は、例えば、通常運転に対して種々の制限を設けて、当該通常運転の場合と比較して、電力使用量を抑制してカゴ４を昇降させる運転としてもよい。各単体制御装置５２は、例えば、停電時継続運転では、通常運転の場合と比較して、カゴ４の昇降速度を相対的に低くすることで、電動機７ｂの負荷を抑制し、通常運転の場合と比較して電力使用量を抑制する。また、群管理制御装置５１、各単体制御装置５２は、例えば、停電時継続運転では、カゴ案内装置１０、乗場案内装置１３を制御して停電時継続運転に関する案内（例えば、待ち時間やサービス可能な残り時間、階段利用を促す案内等）を行うようにしてもよい。これにより、エレベータシステム１は、エレベータ３が停電時継続運転中であることを利用者に周知させることができる。
【００２９】
典型的には、制御装置５０の各単体制御装置５２は、動力用電源６０の健全時には通常運転を行う。そして、各単体制御装置５２は、動力用電源６０が停電した場合、電源制御装置５４の制御により電源系統が切り替えられて、通常運転から停電時継続運転に切り替える。また、各単体制御装置５２は、動力用電源６０の停電が復旧した場合、電源制御装置５４の制御により電源系統が切り替えられて、停電時継続運転から通常運転に復帰する。
【００３０】
ここで、本実施形態のエレベータ群２は、より詳細には、特定のエレベータ３と、一般用のエレベータ３とを含んで構成される。特定のエレベータ３は、複数のエレベータ３から予め任意に特定されるエレベータである。以下の説明では、特定のエレベータ３は、予め車椅子用のエレベータ３に設定されているものとして説明する。この車椅子用のエレベータ３は、主に車椅子利用者等が利用するエレベータ３である。車椅子用のエレベータ３は、例えば、エレベータ群２のうち、主に車椅子利用者等が利用するために設けられた補助操作盤、カゴ４内の背面に設けられた鏡面部材、手摺り等の種々の補助設備を備えたエレベータ３である。以下の説明では、車椅子用（特定）のエレベータ３を「車椅子号機」という場合がある。一方、一般用のエレベータ３は、エレベータ群２のうち車椅子用（特定）のエレベータ３以外のエレベータ３である。以下の説明では、一般用のエレベータ３を「一般号機」という場合がある。
【００３１】
そして、本実施形態の各乗場呼び登録装置１２は、より詳細には、特定乗場呼び登録装置としての車椅子乗場呼び登録装置１２ａと、一般乗場呼び登録装置１２ｂとを含んで構成される。車椅子乗場呼び登録装置１２ａは、主に車椅子利用者等による操作入力に応じて、特定乗場呼びとしての車椅子乗場呼びの登録等を行う呼び登録装置である。ここで、車椅子乗場呼びとは、複数のエレベータ３から車椅子用のエレベータ３を乗場８に呼ぶための乗場呼びである。車椅子乗場呼び登録装置１２ａは、車椅子号機に対して設置されており、上記車椅子乗場呼びの登録は、当該車椅子号機の車椅子乗場呼び登録装置１２ａによって行われる。なお、車椅子用のエレベータ３が複数台ある場合、車椅子乗場呼び登録装置１２ａも各車椅子用のエレベータ３に対応してそれぞれ設けられる。一方、一般乗場呼び登録装置１２ｂは、主に一般利用者等による操作入力に応じて、一般乗場呼びの登録等を行う呼び登録装置である。ここで、一般乗場呼びとは、車椅子用のエレベータ３及び一般用のエレベータ３を含む複数のエレベータ３から最適な１台を乗場８に呼ぶための乗場呼びである。
【００３２】
そして、本実施形態の群管理制御装置５１は、乗場８から車椅子乗場呼び登録装置１２ａを介して車椅子乗場呼びがなされた場合に、複数のエレベータ３から予め設定された車椅子用（特定）のエレベータ３を割り当てる制御を実行可能である。群管理制御装置５１は、例えば、車椅子乗場呼び登録装置１２ａを介して車椅子乗場呼びがなされた場合、上記のような評価演算は行わずに、当該車椅子乗場呼びに対応する車椅子号機を、当該車椅子乗場呼びに応答するエレベータ３として選定し、応答を割り当てる。そして、当該車椅子号機の単体制御装置５２は、この群管理制御装置５１からの割り当て出力に応じて、巻上機７を駆動制御し、当該車椅子号機を車椅子乗場呼びに応答させる。
【００３３】
一方、群管理制御装置５１は、乗場８から一般乗場呼び登録装置１２ｂを介して一般乗場呼びがなされた場合に、上記の所定の評価演算を行い、車椅子用のエレベータ３、及び、一般用のエレベータ３を含む複数のエレベータ３から、一般乗場呼びに応答する最適なエレベータ３を割り当てる制御を実行可能である。
【００３４】
ところで、本実施形態のエレベータシステム１は、上述のように動力用電源６０の停電時にバッテリ５３の電力を用いてエレベータ３を運転する状態、すなわち、停電時継続運転の際に、車椅子号機のバッテリ５３が先になくなってしまうと、群管理バンクとしてはエレベータ３が作動しているにもかかわらず、車椅子乗場呼び登録装置１２ａを介した車椅子乗場呼びに応答できなくなるおそれがある。
【００３５】
そこで、本実施形態のエレベータシステム１は、停電時継続運転の際には可能な限り車椅子号機のバッテリ５３の電力を温存することで、車椅子乗場呼び登録装置１２ａを介した車椅子乗場呼びに対して適切に応答できるようにしている。
【００３６】
具体的には、本実施形態の制御装置５０の群管理制御装置５１は、動力用電源６０の停電時にバッテリ５３の電力を用いてエレベータ３を運転する状態で、乗場８から一般乗場呼びがなされた場合に、各バッテリ５３の残存蓄電量に基づいて、複数のエレベータ３から、乗場呼びに応答するエレベータ３を割り当てる制御を実行可能である。つまり、本実施形態の群管理制御装置５１は、停電時継続運転時における新規の一般乗場呼びに対する割当号機を決定する際の評価演算に、各号機のバッテリ５３の残存蓄電量を加味させる。ここでは、群管理制御装置５１は、バッテリ５３の残存蓄電量に応じてそれぞれ演算した各エレベータ３の評価値に基づいて複数のエレベータ３から一般乗場呼びに応答するエレベータ３を選定する。
【００３７】
より詳細には、群管理制御装置５１は、各バッテリ５３の電流計５３ａ、電圧計５３ｂから各電源制御装置５４、各単体制御装置５２等を介して検出結果を定期的に受信し、当該検出結果に基づいて、各バッテリ５３の電流値、電圧値を監視し、各バッテリ５３の残存蓄電量を監視する。そして、群管理制御装置５１は、停電時継続運転時に一般乗場呼びがなされた場合には、各エレベータ３の状態、及び、各バッテリ５３の残存蓄電量に応じてそれぞれ各エレベータ３の評価値を演算し、当該一般乗場呼びに対する割当号機選定の評価を行う。すなわち、群管理制御装置５１は、各バッテリ５３の残存蓄電量を評価に反映させる。
【００３８】
ここでは、群管理制御装置５１は、バッテリ５３の残存蓄電量が相対的に多いほど、当該バッテリ５３の電力で運転されるエレベータ３が相対的に選定され易い評価値とする。一方、群管理制御装置５１は、バッテリ５３の残存蓄電量が相対的に少ないほど、当該バッテリ５３の電力で運転されるエレベータ３が相対的に選定され難い評価値とする。
【００３９】
そして、本実施形態の群管理制御装置５１は、さらに、バッテリ５３の残存蓄電量に基づいた評価値を、車椅子号機の評価値と、一般号機の評価値とで、相違させるようにしている。ここでは、群管理制御装置５１は、一般乗場呼びに対して、一般号機より車椅子号機の方がより選定されにくいように、評価演算を行う。この群管理制御装置５１は、同等のバッテリ５３の残存蓄電量に対して、車椅子用のエレベータ３の評価値を、当該車椅子用のエレベータ３以外の他のエレベータ３、すなわち、一般用のエレベータ３の評価値より相対的に選定され難い評価値とする。
【００４０】
そして、群管理制御装置５１は、演算した評価値に基づいて複数のエレベータ３から乗場呼びに応答するエレベータ３を選定する。
【００４１】
本実施形態の群管理制御装置５１は、例えば、停電時継続運転時の新規の一般乗場呼び発生時に、下記の数式（１）に基づいて、各エレベータ３の評価値Ｅｘ（Ｈ）を演算する。評価値Ｅｘ（Ｈ）は、新規の一般乗場呼びＨに対するｘ号機の評価値を表す。群管理制御装置５１は、数式（１）を用いて演算される評価値Ｅｘ（Ｈ）が最も小さいエレベータ３（号機）を、一般乗場呼びに応答する最適なエレベータ３（最適号機）として選定する。 
Ｅｘ（Ｈ）＝α１×Ｅ１（ｘ、Ｈ）＋α２×Ｅ２（ｘ）  ・・・  （１）
【００４２】
数式（１）において、「Ｅ１（ｘ、Ｈ）」は、上記エレベータ３の状態を表す指標に相当する当該号機状態指標であり、エレベータ３の状態に応じた新規の一般乗場呼びＨに対するｘ号機の割当評価値である。群管理制御装置５１は、典型的には、上述したようなカゴ４の現在位置及び移動方向（昇降方向）、これから発生すると予測される乗場呼び、カゴ呼び、予測される行先階、乗場呼び発生階への予想到着時間等の種々の群管理指標に基づいて、当該号機状態指標Ｅ１（ｘ、Ｈ）を算出する。
【００４３】
数式（１）において、「Ｅ２（ｘ）」は、上記バッテリ５３の残存蓄電量を表す指標に相当する蓄電量指標であり、ｘ号機の残存蓄電量から算出される蓄電量評価値である。群管理制御装置５１は、例えば、図２に例示する蓄電量評価値マップ（あるいはこれに相当する数式モデル）ｍ１に基づいて、蓄電量評価値Ｅ２（ｘ）を設定する。蓄電量評価値マップｍ１は、横軸が残存蓄電量、縦軸が蓄電量評価値Ｅ２を示す。蓄電量評価値マップｍ１は、残存蓄電量と蓄電量評価値Ｅ２との関係を記述したものである。蓄電量評価値マップｍ１は、残存蓄電量と蓄電量評価値Ｅ２との関係が実験等に基づいて予め設定された上で、群管理制御装置５１の記憶部に格納されている。ここでは、蓄電量評価値マップｍ１では、残存蓄電量と蓄電量評価値Ｅ２との関係は、実線Ｌ１、Ｌ２に示すように、二次曲線によって規定されている。
【００４４】
ここで、図２中、実線Ｌ１は、一般号機のバッテリ５３の残存蓄電量から蓄電量評価値Ｅ２を算出する際に用いられる残存蓄電量と蓄電量評価値Ｅ２との関係式を表す曲線であるである。一方、実線Ｌ２は、車椅子号機のバッテリ５３の残存蓄電量から蓄電量評価値Ｅ２を算出する際に用いられる残存蓄電量と蓄電量評価値Ｅ２との関係式を表す曲線であるである。
【００４５】
この蓄電量評価値マップｍ１では、蓄電量評価値Ｅ２は、基本的には、一般号機の場合（実線Ｌ１）、車椅子号機の場合（実線Ｌ２）ともに、残存蓄電量の減少に伴って増加すると共に、予め設定されるラストラン基準蓄電量ＴｈＡで無限大となるように設定される。ここで、ラストラン基準蓄電量ＴｈＡとは、カゴ４が意図せず各階床の中間階で停止してしまうことなく、所定の昇降行程の昇降を適正に完了するために必要な最低限の蓄電量（言い換えれば、ラストランを可能とする最低限の蓄電量）に相当する。
【００４６】
そしてさらに、この蓄電量評価値マップｍ１では、一般号機の場合（実線Ｌ１）と車椅子号機の場合（実線Ｌ２）とを比較した場合に、車椅子号機の場合の蓄電量評価値Ｅ２が、一般号機の場合の蓄電量評価値Ｅ２より相対的に大きくなるように設定される。すなわち、この蓄電量評価値マップｍ１では、同等のバッテリ５３の残存蓄電量に対して、車椅子用のエレベータ３の評価値が、一般用のエレベータ３の評価値より相対的に大きくなるように設定されている。なお、残存蓄電量と蓄電量評価値Ｅ２との関係は、例えば、複数の直線によって規定されてもよい。
【００４７】
群管理制御装置５１は、各号機のバッテリ５３の残存蓄電量に基づいて、当該蓄電量評価値マップｍ１から、各号機の蓄電量評価値Ｅ２（ｘ）を算出する。これにより、群管理制御装置５１は、バッテリ５３の残存蓄電量が相対的に多いほど蓄電量評価値Ｅ２（ｘ）を小さくし、バッテリ５３の残存蓄電量が相対的に少ないほど蓄電量評価値Ｅ２（ｘ）を大きくすることができる。そしてさらに、群管理制御装置５１は、同等のバッテリ５３の残存蓄電量に対して、車椅子用のエレベータ３の蓄電量評価値Ｅ２（ｘ）を、一般用のエレベータ３の蓄電量評価値Ｅ２（ｘ）より相対的に大きくすることができる。
【００４８】
数式（１）において、「α１」は、評価値Ｅｘ（Ｈ）に対する当該号機状態指標Ｅ１（ｘ、Ｈ）の重み付けを決める重み係数である。「α２」は、評価値Ｅｘ（Ｈ）に対するバッテリ５３の残存蓄電量、すなわち、蓄電量評価値Ｅ２（ｘ）の重み付けを決める重み係数である。重み係数α１、重み係数α２は、例えば、実験等に基づいて適宜設定すればよい。群管理制御装置５１は、通常運転時には、数式（１）において、α１＝１、α２＝０として、各エレベータ３の評価値Ｅｘ（Ｈ）を演算する。一方、群管理制御装置５１は、停電時継続運転時には、数式（１）において、α１＞０、α２＞０の範囲内で重み係数α１、重み係数α２を任意に設定し、各エレベータ３の評価値Ｅｘ（Ｈ）を演算する。
【００４９】
したがって、群管理制御装置５１は、停電時継続運転時の一般乗場呼びに対して、数式（１）に基づいて、各エレベータ３の評価値Ｅｘ（Ｈ）を演算することで、バッテリ５３の残存蓄電量が相対的に多いほど、当該バッテリ５３の電力で運転されるエレベータ３の評価値Ｅｘ（Ｈ）を相対的に小さくし、一般乗場呼びの応答号機として選定され易い評価値とすることができる。一方、群管理制御装置５１は、停電時継続運転時の一般乗場呼びに対して、バッテリ５３の残存蓄電量が相対的に少ないほど、当該バッテリ５３の電力で運転されるエレベータ３の評価値Ｅｘ（Ｈ）を相対的に大きくし、一般乗場呼びの応答号機として選定され難い評価値とすることができる。その上で、群管理制御装置５１は、停電時継続運転時の一般乗場呼びに対して、車椅子用のエレベータ３の評価値Ｅｘ（Ｈ）を、一般用のエレベータ３の評価値Ｅｘ（Ｈ）より相対的に大きくし、当該車椅子号機が一般号機と比較して一般乗場呼びの応答号機として選定され難い評価値とすることができる。
【００５０】
なお、群管理制御装置５１は、動力用電源６０の停電時にバッテリ５３の電力を用いてエレベータ３を運転する状態、すなわち、停電時継続運転時に、乗場８から車椅子乗場呼び登録装置１２ａを介して車椅子乗場呼びがなされた場合には、通常運転時と同様に、複数のエレベータ３から予め設定された車椅子用（特定）のエレベータ３を割り当てる制御を実行する。
【００５１】
次に、図３のフローチャートを参照して制御装置５０による制御の一例を説明する。
【００５２】
まず、制御装置５０の各電源制御装置５４は、動力用電源６０の作動状態に基づいて、動力用電源６０が停電中であるか否かを判定する（ステップＳＴ１）。
【００５３】
制御装置５０の各単体制御装置５２は、電源制御装置５４によって動力用電源６０が停電中でない、すなわち、動力用電源６０が健全であると判定された場合（ステップＳＴ１：Ｎｏ）、動力用電源６０からの電力によって通常運転を行って（ステップＳＴ２）、現在の制御周期を終了し、次の制御周期に移行する。この場合、各単体制御装置５２は、もともと通常運転を行っていた場合には、当該通常運転をそのまま継続する。このとき、群管理制御装置５１は、通常の評価値演算として、数式（１）において、α１＝１、α２＝０として、発生した呼びに対して各エレベータ３の評価値Ｅｘ（Ｈ）を演算し、応答カゴ４を決定する。
【００５４】
制御装置５０の各単体制御装置５２は、ステップＳＴ１にて、電源制御装置５４によって動力用電源６０が停電中であると判定された場合（ステップＳＴ１：Ｙｅｓ）、バッテリ５３からの電力によって停電時継続運転を行う（ステップＳＴ３）。この場合、各単体制御装置５２は、もともと停電時継続運転を行っていた場合には、当該停電時継続運転をそのまま継続する。  
【００５５】
次に、制御装置５０の群管理制御装置５１は、一般乗場呼びに対する評価演算を、残存蓄電量を踏まえた停電時継続運転時の評価値演算として、数式（２）において、α１＞０、α２＞０の範囲内で重み係数α１、重み係数α２を任意に設定し、発生した呼びに対して各エレベータ３の評価値Ｅｘ（Ｈ）を演算するように切り替える（ステップＳＴ４）。
【００５６】
次に、各電源制御装置５４は、動力用電源６０の作動状態に基づいて、動力用電源６０が停電から復旧したか否かを判定する（ステップＳＴ５）。  
【００５７】
群管理制御装置５１は、電源制御装置５４によって動力用電源６０が停電から復旧したと判定された場合（ステップＳＴ５：Ｙｅｓ）、一般乗場呼びに対する評価演算を、残存蓄電量を踏まえた評価値演算から通常の評価値演算に復帰させて（ステップＳＴ６）、処理をステップＳＴ２に移行させ、通常運転に復帰する。
【００５８】
各単体制御装置５２は、ステップＳＴ５にて、電源制御装置５４によって動力用電源６０が停電から復旧していないと判定された場合（ステップＳＴ５：Ｎｏ）、処理をステップＳＴ３に移行させ、停電時継続運転を継続する。この間、各単体制御装置５２は、バッテリ５３が放電の限界（典型的にはラストラン基準蓄電量ＴｈＡ以下）に達すると、当該号機のカゴ４を目的階に着床させた後、そのまま停止状態としておく。
【００５９】
上記のように構成されるエレベータシステム１は、動力用電源６０の停電時に各バッテリ５３の電力を使って停電時継続運転を行うことで、各カゴ４の昇降を継続することができる。このとき、エレベータシステム１は、停電時継続運転では、通常運転の場合と比較して、電力使用量を抑制して各カゴ４を昇降させることができるので、停電時継続運転をより長い時間、継続するこができる。この結果、エレベータシステム１は、より長い時間、停電時継続運転によって各カゴ４を昇降させることができるので、例えば、動力用電源６０の停電時であっても、建物内のより多くの人が各エレベータ３を利用することができる。
【００６０】
そして、エレベータシステム１は、停電時継続運転時では、各エレベータ３のバッテリ５３の残存蓄電量を踏まえて新規の一般乗場呼びに応答するエレベータ３を割り当てる。これにより、エレベータシステム１は、バッテリ５３の残存蓄電量が相対的に多いエレベータ３を乗場呼びの応答号機として選定され易くし、残存蓄電量が相対的に少ないエレベータ３ほど当該号機への応答割当が抑制され乗場呼びの応答号機として選定され難くすることができる。この結果、エレベータシステム１は、群管理に所属する各エレベータ３相互において、バッテリ５３の残存蓄電量のバラツキを抑制することができ、例えば、特定のエレベータ３のバッテリ５３の残存蓄電量が早期に枯渇してしまうことを抑制することができる。これにより、エレベータシステム１は、停電時継続運転時に全号機で運行できる時間を相対的に長くすることができ、例えば、長待ちの発生頻度の増大を抑制することができる。したがって、エレベータシステム１は、動力用電源６０の停電時であっても、群管理に所属する各エレベータ３のバッテリ５３の電力を有効に活用して運行を最適化することができ、当該エレベータシステム１が設置された建物内の多くの人が効率よく利用することができる。
【００６１】
そしてさらに、エレベータシステム１は、停電時継続運転時では、一般乗場呼びに対して、車椅子用のエレベータ３の評価値を、一般用のエレベータ３の評価値より相対的に大きくし、当該車椅子号機が一般号機と比較して一般乗場呼びの応答号機として選定され難い評価値とする。これにより、エレベータシステム１は、停電時継続運転時に、車椅子用のエレベータ３を一般乗場呼びの応答号機として選定され難くすることができる。この結果、エレベータシステム１は、停電時継続運転時では、車椅子号機に一般乗場呼びが割り当てられ難くなるため、停電時継続運転の際には車椅子号機のバッテリ５３の電力を温存することができる。よって、エレベータシステム１は、停電時継続運転時において、車椅子号機が車椅子乗場呼びに応答できる期間を相対的に長くすることができる。これにより、エレベータシステム１は、停電時継続運転の際に車椅子号機のバッテリ５３が先になくなってしまうことを抑制することができるので、例えば、群管理バンクとしてはエレベータ３が作動しているにもかかわらず、車椅子乗場呼びに応答できなくなるような事態が発生することを抑制することができる。この結果、エレベータシステム１は、停電時継続運転の際にも車椅子乗場呼びに対して適切に応答することができる。したがって、エレベータシステム１は、動力用電源６０の停電時であっても、車椅子号機を含めて、群管理に所属する各エレベータ３のバッテリ５３の電力を有効に活用して運行を最適化することができる。
【００６２】
以上で説明したエレベータシステム１は、複数のエレベータ３と、制御装置５０とを備える。複数のエレベータ３は、動力用電源６０からの電力とそれぞれに設けられたバッテリ５３からの電力とによって運転可能である。制御装置５０は、当該複数のエレベータ３の乗場８から特定乗場呼び（車椅子乗場呼び）がなされた場合に、複数のエレベータ３から予め設定された特定（車椅子用）のエレベータ３を割り当てる制御を実行可能である。制御装置５０は、乗場８から一般乗場呼びがなされた場合に、特定のエレベータ３を含む複数のエレベータ３から、一般乗場呼びに応答するエレベータ３を割り当てる制御を実行可能である。制御装置５０は、動力用電源６０の停電時にバッテリ５３の電力を用いてエレベータ３を運転する状態で、乗場８から一般乗場呼びがなされた場合に、バッテリ５３の残存蓄電量に応じてそれぞれ演算した各エレベータ３の評価値に基づいて複数のエレベータ３から一般乗場呼びに応答するエレベータ３を選定するものである。そして、制御装置５０は、同等のバッテリ５３の残存蓄電量に対して、特定のエレベータ３の評価値を、当該特定のエレベータ３以外の他のエレベータ３の評価値より相対的に選定され難い評価値とする。したがって、エレベータシステム１は、動力用電源６０の停電時であっても、特定のエレベータ３、ここでは、車椅子用のエレベータ３のバッテリ５３の電力を極力温存して、特定乗場呼び、ここでは、車椅子乗場呼びに対して適切に応答できるようにすることができるので、当該バッテリ５３の電力を有効に活用して運行を最適化することができる。
【００６３】
［実施形態２］
図４から図１１は、実施形態２に係るエレベータシステムの動作の一例を説明する線図である。図１２は、実施形態２に係るエレベータシステムにおける制御の一例を説明するフローチャートである。実施形態２に係るエレベータシステムは、特定乗場呼びがなされた場合の制御が実施形態１とは異なる。その他、上述した実施形態と共通する構成、作用、効果については、重複した説明はできるだけ省略する（以下で説明する実施形態でも同様である。）。また、エレベータシステムの各構成については、適宜、図１を参照する。
【００６４】
本実施形態のエレベータシステム２０１（図１参照）は、特定乗場呼びとしての車椅子乗場呼びがなされた場合の制御が上述した実施形態の場合と異なる。
【００６５】
エレベータシステム２０１は、上記のように停電時継続運転時の一般乗場呼びに対して、車椅子号機と一般号機とで評価値を異ならせ、車椅子号機を一般乗場呼びの応答号機として選定され難くした場合であっても、車椅子乗場呼びが多発した場合には、車椅子号機のバッテリ５３が先になくなってしまうおそれがある。
【００６６】
そこで、本実施形態のエレベータシステム２０１は、車椅子号機のバッテリ５３の残存蓄電量が所定の値（後述の判定基準蓄電量ＴｈＢ（図４等参照））を下回った場合には、一般号機のバッテリ５３の残存蓄電量に応じて、車椅子号機にサービスを継続させる制御（車椅子乗場呼びに応答）を行うか、一般号機を車椅子乗場呼びに応答させる制御を行うかを決定する。この場合、エレベータシステム２０１は、例えば、車椅子乗場呼びを一般号機に応答させる場合、車椅子号機はサービスを行わず、乗場呼びの登録、割当制御を実施するようにしてもよい。
【００６７】
具体的には、本実施形態の群管理制御装置５１は、バッテリ５３の電力を用いてエレベータ３を運転する状態、すなわち、停電時継続運転の際に、乗場８から車椅子乗場呼びがなされた場合であって車椅子用のエレベータ３のバッテリ５３の残存蓄電量が予め設定される判定基準蓄電量ＴｈＢ（図４等参照）より低い場合に、下記のような制御を行う。なおここで、判定基準蓄電量ＴｈＢは、上述のラストラン基準蓄電量ＴｈＡより大きな値に設定される。判定基準蓄電量ＴｈＢは、例えば、停電時継続運転時に、車椅子用のエレベータ３のバッテリ５３において温存させておきたい蓄電量等に応じて任意に設定される。
【００６８】
本実施形態の群管理制御装置５１は、停電時継続運転の際に車椅子号機のバッテリ５３の残存蓄電量が判定基準蓄電量ＴｈＢより低い場合、他の一般用のエレベータ３のバッテリ５３の残存蓄電量が運転限界蓄電量としてのラストラン基準蓄電量ＴｈＡ以上であれば、当該他のエレベータ３のうちバッテリ５３の残存蓄電量が最大であるエレベータ３を仮の車椅子用のエレベータ３として車椅子乗場呼びに応答させる。つまり、群管理制御装置５１は、一般号機を仮の車椅子号機として制御させ、バッテリ５３の残存蓄電量が一番多い一般号機を車椅子乗場呼びに応答させる。このとき、群管理制御装置５１は、車椅子号機にはサービスを行わせず（呼びに応答させず）、車椅子乗場呼びの登録、割当制御を実施させるようにする。これにより、エレベータシステム２０１は、停電時継続運転の際に車椅子号機のバッテリ５３の残存蓄電量が判定基準蓄電量ＴｈＢを下回った場合に、一般号機を車椅子乗場呼びに応答させることで、可能な限り車椅子号機のバッテリ５３の電力を温存することができる。すなわち、群管理制御装置５１は、一般号機のバッテリ５３の残存蓄電量がラストラン基準蓄電量ＴｈＡ以上であれば、車椅子乗場呼びに対して一般号機を優先的に応答させ、当該一般号機を仮の車椅子号機として運用することで、真の車椅子号機のバッテリ５３を温存することができる。そして、このエレベータシステム２０１は、上記車椅子乗場呼びの登録が当該車椅子号機の車椅子乗場呼び登録装置１２ａによって行われる仕様になっていることから、上記のように車椅子号機のバッテリ５３を温存することで、当該車椅子乗場呼び登録装置１２ａを介した車椅子乗場呼びの登録を長期間可能とすることができる。
【００６９】
なおこの場合であっても、群管理制御装置５１は、エレベータシステム２０１が複数台の車椅子号機を含んで構成されている場合には、車椅子号機である自号機以外の車椅子号機がサービス不可、すなわち、残存蓄電量がラストラン基準蓄電量ＴｈＡを下回るまでは、当該自号機以外の車椅子号機を車椅子乗場呼びに応答させるようにしてもよい。そして、群管理制御装置５１は、当該自号機以外の車椅子号機の残存蓄電量がラストラン基準蓄電量ＴｈＡを下回った後に、一般号機を仮の車椅子号機として車椅子乗場呼びに応答させるようにしてもよい。
【００７０】
一方、群管理制御装置５１は、停電時継続運転の際に車椅子号機のバッテリ５３の残存蓄電量が判定基準蓄電量ＴｈＢより低い場合に、他の一般用のエレベータ３のバッテリ５３の残存蓄電量がラストラン基準蓄電量ＴｈＡより低ければ、当該車椅子用のエレベータ３を車椅子乗場呼びに応答させる。そして、群管理制御装置５１は、当該車椅子号機のバッテリ５３の残存蓄電量がラストラン基準蓄電量ＴｈＡを下回るまで、当該車椅子号機によってサービスを継続させる。
【００７１】
次に、図４から図１１を参照してエレベータシステム２０１の動作の一例を説明する。図４から図１１は、横軸を各号機、縦軸を残存蓄電量としている。
【００７２】
まず、図４、図５、図６を参照して、Ａ号機が車椅子号機、他のＢ号機、Ｃ号機、Ｄ号機が一般号機である場合、すなわち、エレベータ群２において一台が車椅子号機である場合について説明する。以下では、停電時継続運転の際にＡ号機（車椅子号機）の車椅子乗場呼び登録装置１２ａを介して車椅子乗場呼びがなされた場合を説明する。
【００７３】
この場合、群管理制御装置５１は、図４に示すように、当該Ａ号機のバッテリ５３の残存蓄電量が判定基準蓄電量ＴｈＢ以上であれば、自号機であるＡ号機を車椅子乗場呼びに応答させる。
【００７４】
一方、群管理制御装置５１は、図５に示すように、当該Ａ号機のバッテリ５３の残存蓄電量が判定基準蓄電量ＴｈＢを下回ると、他の一般号機の残存蓄電量がラストラン基準蓄電量ＴｈＡ以上であれば、当該一般号機のうちバッテリ５３の残存蓄電量が最大である一般号機、ここでは、Ｃ号機を仮の車椅子用のエレベータ３として車椅子乗場呼びに応答させる。このとき、群管理制御装置５１は、車椅子号機であるＡ号機にはサービスを行わせず、車椅子乗場呼びの登録、割当制御を実施させるようにする。
【００７５】
そして、群管理制御装置５１は、図６に示すように、当該Ａ号機のバッテリ５３の残存蓄電量が判定基準蓄電量ＴｈＢを下回り、かつ、他の一般号機の残存蓄電量がすべてラストラン基準蓄電量ＴｈＡを下回れば、車椅子号機であるＡ号機を車椅子乗場呼びに応答させ、当該Ａ号機によってサービスを継続する。そして、群管理制御装置５１は、当該Ａ号機のバッテリ５３の残存蓄電量がラストラン基準蓄電量ＴｈＡを下回るまで、当該Ａ号機によってサービスを継続させる。
【００７６】
次に、図７、図８、図９、図１０、図１１を参照して、Ａ号機、及び、Ｂ号機が車椅子号機、他のＣ号機、Ｄ号機が一般号機である場合、すなわち、エレベータ群２において複数台（ここでは二台）が車椅子号機である場合について説明する。以下では、停電時継続運転の際にＡ号機（車椅子号機）の車椅子乗場呼び登録装置１２ａを介して車椅子乗場呼びがなされた場合を説明する。
【００７７】
この場合、群管理制御装置５１は、図７に示すように、当該Ａ号機のバッテリ５３の残存蓄電量が判定基準蓄電量ＴｈＢ以上であれば、自号機であるＡ号機を車椅子乗場呼びに応答させる。またこの場合、群管理制御装置５１は、自号機であるＡ号機と、他の車椅子号機であるＢ号機とを群管理し、Ａ号機とＢ号機とのうち最適な車椅子号機を当該車椅子乗場呼びに応答させるようにしてもよい。
【００７８】
一方、群管理制御装置５１は、図８に示すように、当該Ａ号機のバッテリ５３の残存蓄電量が判定基準蓄電量ＴｈＢを下回った場合に、自号機であるＡ号機以外の車椅子号機がサービス可能である場合、すなわちここでは、自号機以外の車椅子号機であるＢ号機の残存蓄電量がラストラン基準蓄電量ＴｈＡ以上である場合、当該Ｂ号機を車椅子乗場呼びに応答させる。この場合、群管理制御装置５１は、図９に示すように、自号機以外の車椅子号機であるＢ号機の残存蓄電量が判定基準蓄電量ＴｈＢを下回った場合であっても、ラストラン基準蓄電量ＴｈＡを下回るまでは、当該Ｂ号機を、Ａ号機の車椅子乗場呼び登録装置１２ａを介してなされた車椅子乗場呼びに応答させる。
【００７９】
そして、群管理制御装置５１は、図１０に示すように、当該Ａ号機のバッテリ５３の残存蓄電量が判定基準蓄電量ＴｈＢを下回り、かつ、自号機以外の車椅子号機であるＢ号機の残存蓄電量がラストラン基準蓄電量ＴｈＡを下回った場合には、下記のように制御する。すなわち、群管理制御装置５１は、一般号機の残存蓄電量がラストラン基準蓄電量ＴｈＡ以上であれば、当該一般号機のうちバッテリ５３の残存蓄電量が最大である一般号機、ここでは、Ｄ号機を仮の車椅子用のエレベータ３として車椅子乗場呼びに応答させる。このとき、群管理制御装置５１は、車椅子号機であるＡ号機にはサービスを行わせず、車椅子乗場呼びの登録、割当制御を実施させるようにする。
【００８０】
そして、群管理制御装置５１は、図１１に示すように、当該Ａ号機のバッテリ５３の残存蓄電量が判定基準蓄電量ＴｈＢを下回り、かつ、他の号機の残存蓄電量がすべてラストラン基準蓄電量ＴｈＡを下回れば、車椅子号機であるＡ号機を車椅子乗場呼びに応答させ、当該Ａ号機によってサービスを継続する。そして、群管理制御装置５１は、当該Ａ号機のバッテリ５３の残存蓄電量がラストラン基準蓄電量ＴｈＡを下回るまで、当該Ａ号機によってサービスを継続させる。
【００８１】
次に、図１２のフローチャートを参照して制御装置５０による制御の一例を説明する。
【００８２】
まず、群管理制御装置５１は、停電時継続運転の際に車椅子乗場呼び登録装置１２ａを介して車椅子乗場呼びがなされると、当該車椅子乗場呼びがなされた自号機としての当該車椅子号機のバッテリ５３の残存蓄電量が判定基準蓄電量ＴｈＢより低いか否かを判定する（ステップＳＴ２０１）。
【００８３】
群管理制御装置５１は、当該車椅子号機のバッテリ５３の残存蓄電量が判定基準蓄電量ＴｈＢより低いと判定した場合（ステップＳＴ２０１：Ｙｅｓ）、当該エレベータシステム２０１のエレベータ群２が複数台車椅子号機を有する仕様であるか否かを判定する（ステップＳＴ２０２）。
【００８４】
群管理制御装置５１は、複数台車椅子号機を有する仕様であると判定した場合（ステップＳＴ２０２：Ｙｅｓ）、他の車椅子号機のバッテリ５３の残存蓄電量がラストラン基準蓄電量ＴｈＡ以上であるか否かを判定する（ステップＳＴ２０３）。
【００８５】
群管理制御装置５１は、他の車椅子号機のバッテリ５３の残存蓄電量がラストラン基準蓄電量ＴｈＡ以上であると判定した場合（ステップＳＴ２０３：Ｙｅｓ）、車椅子号機を車椅子乗場呼びに応答させサービスを継続し（ステップＳＴ２０４）、現在の制御周期を終了し、次の制御周期に移行する。この場合、群管理制御装置５１は、当該自号機以外の車椅子号機を車椅子乗場呼びに応答させ、サービスを継続する。
【００８６】
群管理制御装置５１は、ステップＳＴ２０２にて、複数台車椅子号機を有する仕様でないと判定した場合（ステップＳＴ２０２：Ｎｏ）、他の車椅子号機のバッテリ５３の残存蓄電量がラストラン基準蓄電量ＴｈＡより低いと判定した場合（ステップＳＴ２０３：Ｎｏ）、他の一般号機のバッテリ５３の残存蓄電量がラストラン基準蓄電量ＴｈＡ以上であるか否かを判定する（ステップＳＴ２０５）。
【００８７】
群管理制御装置５１は、一般号機のバッテリ５３の残存蓄電量がラストラン基準蓄電量ＴｈＡ以上であると判定した場合（ステップＳＴ２０５：Ｙｅｓ）、一般号機を仮の車椅子号機として車椅子乗場呼びに応答させ、当該一般号機によってサービスを継続し（ステップＳＴ２０６）、現在の制御周期を終了し、次の制御周期に移行する。この場合、群管理制御装置５１は、例えば、当該一般号機のうち残存蓄電量が最大の号機を仮の車椅子号機として車椅子乗場呼びに応答させ、サービスを継続する。
【００８８】
群管理制御装置５１は、一般号機のバッテリ５３の残存蓄電量がラストラン基準蓄電量ＴｈＡより低いと判定した場合（ステップＳＴ２０５：Ｎｏ）、処理をステップＳＴ２０４に移行させる。この場合、群管理制御装置５１は、当該自号機である車椅子号機を車椅子乗場呼びに応答させ、サービスを継続する。
【００８９】
群管理制御装置５１は、ステップＳＴ２０１にて、当該車椅子号機のバッテリ５３の残存蓄電量が判定基準蓄電量ＴｈＢ以上であると判定した場合（ステップＳＴ２０１：Ｎｏ）、処理をステップＳＴ２０４に移行させる。この場合、群管理制御装置５１は、自号機である車椅子号機、又は、当該自号機以外の車椅子号機を車椅子乗場呼びに応答させ、サービスを継続する。
【００９０】
上記のように構成されるエレベータシステム２０１は、停電時継続運転の際に車椅子号機のバッテリ５３の残存蓄電量が所定の値（判定基準蓄電量ＴｈＢ）を下回った場合に、一般号機を仮の車椅子号機として車椅子乗場呼びに応答させることで、可能な限り車椅子号機のバッテリ５３の電力を温存することができる。すなわち、エレベータシステム２０１は、一般号機のバッテリ５３の残存蓄電量がラストラン基準蓄電量（運転限界蓄電量）ＴｈＡ以上であれば、車椅子乗場呼びに対して一般号機を優先的に応答させ、当該一般号機を仮の車椅子号機として運用することで、真の車椅子号機のバッテリ５３を温存することができる。この結果、このエレベータシステム２０１は、車椅子号機のバッテリ５３を温存することで、当該車椅子乗場呼び登録装置１２ａを介した車椅子乗場呼びの登録を長期間可能とすることができる。つまり、このエレベータシステム２０１は、車椅子号機のバッテリ５３が先になくなって車椅子乗場呼び自体が登録できなくなることを抑制することができ、車椅子乗場呼びの登録を確実に行うことができる。したがって、このエレベータシステム２０１は、最終的に車椅子号機のバッテリ５３の残存蓄電量が無くなるまで、車椅子乗場呼びに対して適切に応答してサービスを継続することができる。
【００９１】
以上で説明したエレベータシステム２０１は、動力用電源６０の停電時であっても、特定（車椅子用）のエレベータ３のバッテリ５３の電力を極力温存して、特定乗場呼び（車椅子乗場呼び）に対して適切に応答できるようにすることができるので、当該バッテリ５３の電力を有効に活用して運行を最適化することができる。
【００９２】
さらに、以上で説明したエレベータシステム２０１によれば、制御装置５０は、バッテリ５３の電力を用いてエレベータ３を運転する状態で、乗場８から特定乗場呼び（車椅子乗場呼び）がなされた場合であって特定（車椅子用）のエレベータ３のバッテリ５３の残存蓄電量が予め設定される判定基準蓄電量ＴｈＢより低い場合に、下記のような制御を行う。すなわち、制御装置５０は、他の一般用のエレベータ３のバッテリ５３の残存蓄電量が判定基準蓄電量ＴｈＢより低く設定されるラストラン基準蓄電量（限界蓄電量）ＴｈＡ以上であれば、当該他のエレベータ３のうちバッテリ５３の残存蓄電量が最大であるエレベータ３を仮の特定のエレベータ３として特定乗場呼びに応答させる。制御装置５０は、他のエレベータ３のバッテリ５３の残存蓄電量がラストラン基準蓄電量ＴｈＡより低ければ、特定のエレベータ３を特定乗場呼びに応答させる、したがって、エレベータシステム２０１は、最終的に特定のエレベータ３のバッテリ５３の残存蓄電量が無くなるまで、車椅子乗場呼びに対して適切に応答してサービスを継続することができる。
【００９３】
なお、群管理制御装置５１は、図９の説明では、自号機以外の車椅子号機であるＢ号機の残存蓄電量が判定基準蓄電量ＴｈＢを下回った場合であっても、ラストラン基準蓄電量ＴｈＡを下回るまでは、当該Ｂ号機を、Ａ号機の車椅子乗場呼び登録装置１２ａを介してなされた車椅子乗場呼びに応答させるものとして説明したがこれに限らない。群管理制御装置５１は、Ａ号機のバッテリ５３の残存蓄電量が判定基準蓄電量ＴｈＢを下回り、かつ、自号機以外の車椅子号機であるＢ号機の残存蓄電量が判定基準蓄電量ＴｈＢを下回った場合、一般号機の残存蓄電量がラストラン基準蓄電量ＴｈＡ以上であれば、一般号機において割当制御を行うようにしてもよい。すなわち、群管理制御装置５１は、当該一般号機のうちバッテリ５３の残存蓄電量が最大である一般号機（図９ではＤ号機）を仮の車椅子用のエレベータ３として車椅子乗場呼びに応答させてもよい。そして、群管理制御装置５１は、一般号機（図９ではＣ号機、Ｄ号機）の残存蓄電量がラストラン基準蓄電量ＴｈＡを下回った場合、自号機であるＡ号機と、他の車椅子号機であるＢ号機とを群管理し、Ａ号機とＢ号機とのうち最適な車椅子号機を当該車椅子乗場呼びに応答させるようにしてもよい。
【００９４】
なお、上述した実施形態に係るエレベータシステムは、上述した実施形態に限定されず、特許請求の範囲に記載された範囲で種々の変更が可能である。
【００９５】
以上の説明では、特定のエレベータ３は、予め車椅子用のエレベータ３に設定されているものとして説明したがこれに限らない。特定のエレベータ３は、車椅子用以外のエレベータ３、例えば、エレベータ群２の中で許容積載荷重が最大のエレベータ３、あるいは、最小のエレベータ３等に設定されていてもよい。
【００９６】
また、以上で説明した群管理制御装置５１は、残存蓄電量を踏まえた停電時継続運転時の評価値演算を行う場合に、複数のエレベータ３の状態に基づいて、各エレベータ３の評価値Ｅｘ（Ｈ）に対する各バッテリ５３の残存蓄電量、すなわち、蓄電量評価値Ｅ２（ｘ）の重み付けを可変とするようにしてもよい。つまり、群管理制御装置５１は、複数のエレベータ３の状態に基づいて、重み係数α２を可変としてもよい。
【００９７】
以上で説明した実施形態、変形例に係るエレベータシステムによれば、動力用電源の停電時であっても、蓄電装置の電力を有効に活用して運行を最適化することができる。
【００９８】
本発明のいくつかの実施形態を説明したが、これらの実施形態は、例として提示したものであり、発明の範囲を限定することは意図していない。これらの実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００９９】
１、２０１    エレベータシステム
２    エレベータ群
３    エレベータ
４    カゴ
５    カウンタウェイト
６    メインロープ
７    巻上機
８    乗場
９    カゴ呼び登録装置
１０    カゴ案内装置
１１    荷重検出器
１２    乗場呼び登録装置
１２ａ    車椅子乗場呼び登録装置
１２ｂ    一般乗場呼び登録装置
１３    乗場案内装置
１４    カメラ
５０    制御装置
５１    群管理制御装置
５２    単体制御装置
５３    バッテリ（蓄電装置）
５４    電源制御装置
６０    動力用電源
【要約】
【課題】従来技術においては、例えば、停電時の運転の点でさらなる改善の余地がある。
【解決手段】実施形態のエレベータシステムは、複数のエレベータと、制御装置とを備えることを特徴とする。複数のエレベータは、動力用電源からの電力とそれぞれに設けられた蓄電装置からの電力とによって運転可能である。前記制御装置は、前記動力用電源の停電時に前記蓄電装置の電力を用いて前記エレベータを運転する状態で、乗場から一般乗場呼びがなされた場合に、前記蓄電装置の残存蓄電量に応じてそれぞれ演算した各前記エレベータの評価値に基づいて前記複数のエレベータから前記一般乗場呼びに応答するエレベータを選定するものである。前記制御装置は、同等の前記蓄電装置の残存蓄電量に対して、特定のエレベータの評価値を、当該特定のエレベータ以外の他のエレベータの評価値より相対的に選定され難い評価値とする。
【選択図】図１【図１】
0005522810.tif 000002
【図２】
0005522810.tif 000003
【図３】
0005522810.tif 000004
【図４】
0005522810.tif 000005
【図５】
0005522810.tif 000006
【図６】
0005522810.tif 000007
【図７】
0005522810.tif 000008
【図８】
0005522810.tif 000009
【図９】
0005522810.tif 000010
【図１０】
0005522810.tif 000011
【図１１】
0005522810.tif 000012
【図１２】
0005522810.tif 000013